(57)【要約】【課題】本発明は、記録用画像データのフレームレートを増加させることが可能な撮像装置を提供することを目的とする。【解決手段】画像データ取得部（２０１）で順次撮像される画像信号の記憶と該記憶の更新を順次行なう一時記憶手段と（２０３）、前記記憶されている画像信号を画像形式変換してスルー画表示用画像データまたは記録用画像データを生成する画像形式変換手段（２０５）と、前記画像形式変換手段で単位時間当りに生成される記録用画像データの画像枚数が前記画像形式変換手段で単位時間当りに生成されるスルー画表示用画像データの画像枚数よりも上回る設定を有する画像変換条件設定手段（２１１）と、前記画像変換条件設定手段の設定に基づいて前記一時記憶手段に記憶されている画像信号を前記画像形式変換手段で前記スルー画表示用画像データまたは前記記録用画像データに画像形式変換させる制御手段（２１３）と、を有する撮像装置。【選択図】　　　　図２
2004080427.tif 000002
【特許請求の範囲】
【請求項１】
順次撮像される画像信号の記憶と該記憶の更新を順次行なう一時記憶手段と、
前記記憶されている画像信号を画像形式変換してスルー画表示用画像データまたは記録用画像データを生成する画像形式変換手段と、
前記画像形式変換手段で単位時間当りに生成される記録用画像データの画像枚数が前記画像形式変換手段で前記単位時間当りに生成されるスルー画表示用画像データの画像枚数よりも上回る設定を有する画像変換条件設定手段と、
前記画像変換条件設定手段の設定に基づいて前記一時記憶手段に記憶されている画像信号を前記画像形式変換手段で前記スルー画表示用画像データまたは前記記録用画像データに画像形式変換させる制御手段と、
を有することを特徴とする撮像装置。
【請求項２】
順次撮像される画像信号の記憶と該記憶の更新を順次行なう一時記憶手段と、
前記記憶されている画像信号を画像形式変換してスルー画表示用画像データまたは記録用画像データを生成する画像形式変換手段と、
前記画像形式変換手段で単位時間当りに生成されるスルー画表示用画像データの画像枚数を減らすことにより前記画像形式変換手段で前記単位時間当りに生成される記録用画像データの画像枚数が増えるようにした設定を有する画像変換条件設定手段と、
前記画像変換条件設定手段の設定に基づいて前記一時記憶手段に記憶されている画像信号を前記画像形式変換手段で前記スルー画表示用画像データまたは前記記録用画像データに画像形式変換させる制御手段と、
を有することを特徴とする撮像装置。
【請求項３】
順次撮像される画像信号の記憶と該記憶の更新を順次行なう一時記憶手段と、
前記記憶されている画像信号を画像形式変換してスルー画表示用画像データまたは記録用画像データを生成する画像形式変換手段と、
前記画像形式変換手段で単位時間当りに生成される記録用画像データの画像枚数と前記画像形式変換手段で前記単位時間当りに生成されるスルー画表示用画像データの画像枚数とを相対的に変化させる設定を有する画像変換条件設定手段と、
前記画像変換条件設定手段の設定に基づいて前記一時記憶手段に記憶されている画像信号を前記画像形式変換手段で前記スルー画表示用画像データまたは前記記録用画像データに画像形式変換させる制御手段と、
を有することを特徴とする撮像装置。
【請求項４】
順次撮像される画像信号の記憶と該記憶の更新を順次行なう一時記憶手段と、
前記記憶されている画像信号を画像形式変換してスルー画表示用画像データまたは記録用画像データを生成する画像形式変換手段と、
前記記憶されている画像信号を順次画像形式変換する際に、前記スルー画表示用画像データ及び前記記録用画像データの双方に順次画像形式変換する第一の画像形式変換と前記記憶されている画像信号を前記記録用画像データにのみ画像形式変換する第二の画像形式変換とを時系列的に行なう設定を有する画像変換条件設定手段と、
前記画像変換条件設定手段の設定に基づいて前記一時記憶手段に記憶されている画像信号を前記画像形式変換手段で前記スルー画表示用画像データまたは前記記録用画像データに画像形式変換させる制御手段と、
を有することを特徴とする撮像装置。
【請求項５】
前記画像変換条件設定手段は、前記一時記憶手段に記憶される画像信号で単位時間当りに構成される画像枚数に対する該画像から前記記録用画像データに画像形式変換する画像の枚数の割合で設定される、
ことを特徴とする請求項１乃至４の何れか一つに記載の撮像装置。
【請求項６】
前記画像変換条件設定手段は、前記画像形式変換手段で単位時間当りに生成される記録用画像データの画像枚数に対する前記画像形式変換手段で前記単位時間当りに生成されるスルー画表示用画像データの画像枚数の割合で設定される、
ことを特徴とする請求項１乃至４の何れか一つに記載の撮像装置。
【請求項７】
前記画像変換条件設定手段は、前記記録用画像データの画像品質で設定され、
さらに該画像品質には、前記一時記憶手段に記憶される画像信号で単位時間当りに構成される画像枚数に対する該画像から前記記録用画像データに画像形式変換する画像の枚数の割合が関連付けられている、
ことを特徴とする請求項１乃至４の何れか一つに記載の撮像装置。
【請求項８】
前記画像変換条件設定手段は、前記画像形式変換手段で単位時間当りに生成されるスルー画表示用画像データの画像枚数と前記画像形式変換手段で前記単位時間当りに生成される記録用画像データの画像枚数との比率で設定される、
ことを特徴とする請求項１乃至４の何れか一つに記載の撮像装置。
【請求項９】
前記画像変換条件設定手段は、前記画像形式変換手段で生成されるスルー画表示用画像データのフレームレートと前記画像形式変換手段で生成される記録用画像データのフレームレートとの組み合わせで設定される、
ことを特徴とする請求項１乃至４の何れか一つに記載の撮像装置。
【請求項１０】
前記画像変換条件設定手段は、前記一時記憶手段に記憶される画像信号で単位時間当りに構成される画像枚数に対する該画像から前記記録用画像データに画像形式変換する画像の枚数の割合で設定されるモード、前記画像形式変換手段で単位時間当りに生成される記録用画像データの画像枚数に対する前記画像形式変換手段で該単位時間当りに生成されるスルー画表示用画像データの画像枚数の割合で設定されるモード、前記記録用画像データの画像品質で設定され、さらに該画像品質には、前記一時記憶手段に記憶される画像信号で単位時間当りに構成される画像枚数に対する該画像から前記記録用画像データに画像形式変換する画像の枚数の割合が関連付けられているモード、前記画像形式変換手段で単位時間当りに生成されるスルー画表示用画像データの画像枚数と前記画像形式変換手段で該単位時間当りに生成される記録用画像データの画像枚数との比率で設定されるモード、前記画像形式変換手段で生成されるスルー画表示用画像データのフレームレートと前記画像形式変換手段で生成される記録用画像データのフレームレートとの組み合わせで設定されるモード、の内、何れか一つのモードが設定される、
ことを特徴とする請求項１乃至４の何れか一つに記載の撮像装置。
【請求項１１】
前記画像変換条件設定手段は、前記記録用画像データの画像品質が設定可能で、さらに、該設定された画像品質に対して、前記一時記憶手段に記憶される画像信号で単位時間当りに構成される画像枚数に対する該画像から前記記録用画像データに画像形式変換する画像の枚数の割合を設定できる、
ことを特徴とする請求項１乃至４の何れか一つに記載の撮像装置。
【請求項１２】
前記画像変換条件設定手段の設定内容を表示する警告表示手段と、
前記撮像装置に着脱可能な記録媒体に記録可能な記録手段とを、
更に有し、
前記画像変換条件設定手段の設定内容の表示は、該画像変換条件設定手段の設定内容に基づいて画像形式変換された前記記録用画像データを前記記録手段に記録する際に行なわれる、
ことを特徴とする請求項１乃至１１の何れか一つに記載の撮像装置。
【請求項１３】
前記記録手段に記録された記録用画像データを再生する際は、前記記録用画像データに画像形式変換される際の前記画像変換条件設定手段における設定内容を前記記録用画像データとともに前記警告表示手段に表示可能とする、
ことを特徴とする請求項１２に記載の撮像装置。
【請求項１４】
順次撮像される画像信号の記憶と該記憶の更新を順次行ない、前記記憶時の画像信号を画像形式変換してスルー画表示用画像データまたは記録用画像データを生成する撮像装置の画像形式変換方法であって、
単位時間当りに生成される前記記録用画像データの画像枚数が該単位時間当りに生成される前記スルー画表示用画像データの画像枚数よりも上回るように画像形式変換させる、
ことを特徴とする撮像装置の画像形式変換方法。
【請求項１５】
順次撮像される画像信号の記憶と該記憶の更新を順次行ない、前記記憶時の画像信号を画像形式変換してスルー画表示用画像データまたは記録用画像データを生成する撮像装置の画像形式変換方法であって、
単位時間当りに生成される前記スルー画表示用画像データの画像枚数を減らすことにより前記単位時間当りに生成される前記記録用画像データの画像枚数が増えるように画像形式変換させる、
ことを特徴とする撮像装置の画像形式変換方法。
【請求項１６】
順次撮像される画像信号の記憶と該記憶の更新を順次行ない、前記記憶時の画像信号を画像形式変換してスルー画表示用画像データまたは記録用画像データを生成する撮像装置の画像形式変換方法であって、
単位時間当りに生成される前記記録用画像データの画像枚数と該単位時間当りに生成される前記スルー画表示用画像データの画像枚数とを相対的に変化させて画像形式変換する、
ことを特徴とする撮像装置の画像形式変換方法。
【請求項１７】
順次撮像される画像信号の記憶と該記憶の更新を順次行ない、前記記憶時の画像信号を画像形式変換してスルー画表示用画像データまたは記録用画像データを生成する撮像装置の画像形式変換方法であって、
前記記憶されている画像信号を順次画像形式変換する際に、前記スルー画表示用画像データ及び前記記録用画像データの双方に順次画像形式変換する第一の画像形式変換と前記記憶されている画像信号を前記記録用画像データにのみ画像形式変換する第二の画像形式変換とを時系列的に行なう、
ことを特徴とする撮像装置の画像形式変換方法。
【発明の詳細な説明】
【０００１】
【発明の属する技術分野】
本発明は、撮像してバッファメモリに一時記憶された元画像データを基に記録用画像データを生成する画像生成技術に関し、特に、バッファメモリに逐次一時記憶される複数の画像データから逐次記録用画像データを生成する撮像装置、及びその生成のための画像形式変換方法に関する。
【０００２】
【従来の技術】
被写体を撮像し、撮像した被写体の画像をデジタルデータとして記録する装置にデジタルカメラが知られている。デジタルカメラは、銀塩カメラで従来から行なわれてきたアナログの撮影をデジタルで行なえるように構成されたものであり、静止画像撮影を行なうために利用されることが一般的である。
【０００３】
しかし、近年の信号処理の高速化や、メモリの小型化や、圧縮技術の高度化などに伴い、静止画像のみならず動画像をデジタルで撮影する機能を合わせ持つデジタルカメラが多く存在している。
動画像をデジタルで撮影する機能と言えば、通常、デジタルビデオカメラに代表される機能であるが、このデジタルビデオカメラによる動画像撮影とデジタルカメラによる動画像撮影とでは撮影された動画像の利用目的が異なるためそれぞれの撮影で生成されるデジタルデータの生成方式が異なっている。動画像は一般的にデータ量が膨大であるにもかかわらずデータの処理能力が限られたハードウエア環境下で撮影や再生が実現されなければならないため種々の圧縮処理がなされている。そして、この圧縮処理の圧縮方式が、デジタルビデオカメラで撮影された動画像とデジタルカメラで撮影された動画像との異なる利用目的によって、異なっている。
【０００４】
デジタルビデオカメラの動画像撮影はその名の通り動画像としての利用を目的としているため、このデジタルビデオカメラで撮影される動画像には、動画像の１フレーム目のデータをもとに、２フレーム目はそれと違う部分だけ、３フレーム目は２フレーム目と違う部分だけと、直前のフレームとの差分を記録するなどして圧縮をかけるＭＰＥＧと呼ばれる高圧縮方式が採用されている。この圧縮方式は、動画像を動画として見ることに優れている反面、フレーム毎の利用や編集には不向きである。
【０００５】
それに対して、デジタルカメラの動画像撮影は、動画像を構成する各フレームを静止画像として構成させてフレーム単位の利用を図ることを目的としているため、デジタルカメラで撮影される動画像には、通常の静止画像で利用されるＪＰＥＧと同様にフレーム単位で圧縮をかけるモーションＪＰＥＧという圧縮方式が採用され、この圧縮方式で撮影された各フレームを、時系列順に撮影時と同じ時間間隔で再生させることで動画像を形成している。
【０００６】
このように生成される動画像は、撮影時と同じフレームレートの３０（ｆｒａｍｅ／ｓｅｃ）で記録されることが望ましい。
ところが、後者のデジタルカメラは静止画撮影を主として構成されており、動画像撮影で必要とされる逐次的なフレーム処理においては、小型化の波を受けたハードウエア構成の制限やこれをカバーするソフトウエアのアルゴリズムの開発の遅れなどから必ずしも所望の処理スピード（フレームレート）が得られてはいない。そのため、撮影により記録させるフレームレートを上記のように設定しようとするといくつかの問題が生じてしまう。
【０００７】
ここで、上述したフレーム処理のタイミングを以下に図を追って説明する。
一般的にデジタルカメラでは、先ず始めに、被写体像がＣＣＤなどの撮像素子により電気信号に変換され、この電気信号がゲイン調整回路やノイズ除去処理回路で各処理を経てＡ／Ｄ変換回路でデジタルデータに変換され、このデジタルデータは記憶領域に制限のある例えばＤＲＡＭ（Ｄｙｎａｍｉｃ　Ｒａｎｄｏｍ　Ａｃｃｅｓｓ　Ｍｅｍｏｒｙ）などの一時記憶部にデジタルデータ（元画像データ）として一時的に記憶される。この元画像データは、一時記憶部から読み出され、デジタルカメラ本体に構成される例えば液晶などの表示部への表示用として画像形式が変換され、スルー画表示用画像データ（以下、表示用画像データとする。）として生成される。また、同一の元画像データは、デジタルカメラ本体に対して着脱可能なメモリカードなどの記録部への記録用として画像形式が変換され、記録用画像データとして生成される。そして、生成された表示用画像データはその都度表示部に表示され、生成した記録用画像データは所定のタイミングで記録部に記録される。動画像撮影では、被写体が撮像素子から逐次取り込まれ、上記処理が繰り返し行なわれている。
【０００８】
図１９は、以上のような従来のデジタルカメラで検討されたフレーム処理のタイミングの一例を示した図である。
同図は、一時記憶部に逐次記憶される被写体の元画像データ全てに対して逐次表示用及び記録用の画像形式変換処理が行なわれる場合のタイムチャートである。
【０００９】
なお、同図では、一時記憶部へ被写体の１フレーム分の元画像データが書き込まれてから次のフレーム分の元画像データが一時記憶部へ書き込まれるまでの時間をΔｉｎとし、一時記憶部へ記憶された元画像データを読み出して１フレーム分を表示用画像データに変換するまでの時間（ΔｏｕｔＡ）と一時記憶部へ記憶されたその元画像データを読み出して記録用画像データに変換するまでの時間（ΔｏｕｔＢ）とを合わせた時間をΔｏｕｔとする。
【００１０】
また、同図はΔｉｎ＜Δｏｕｔ＜２＊Δｉｎ（＊は積を示す演算記号である。）の関係を前提としている。
同図に示す六角形のボックスは、動画像の１フレームを単位とする処理を示し、同図の時間軸ｔ方向に対してそのボックスの処理時間と処理順が対応している。
【００１１】
同図の上段は、一時記憶部に逐次記憶される元画像データを時間軸ｔ方向にフレーム単位で時系列順に並べた様子が示されている。同図の様子を各フレームの切り替わる点である時間軸ｔ上のアルファベットの大文字（Ａ点、Ｂ点、・・・）で示すと、一時記憶部では、時間軸ｔ上のＡ点で、フレーム１の元画像データの一時記憶を完了し、続けてフレーム２の記憶を開始し始め、その後も同様に、後続するフレームを逐次一時記憶していく。
【００１２】
同図の下段は、上段の各ボックスで示されるフレーム単位の各元画像データに対して施される表示用画像形式変換処理及び記録用画像形式変換処理が同図の時間軸ｔ方向に対応してこの順で示されている。
なお、各フレーム単位の元画像データに対する記録用画像形式変換処理が終わる時刻を時間軸ｔ上にアルファベットの小文字（ａ点、ｂ点、・・・）で示すものとする。
【００１３】
同図の下段においては、時間軸ｔ上のＡ点で一時記憶の完了した同図の上段に示すフレーム１の元画像データに対して、この時点から表示用画像変換処理及び記録用画像変換処理がこの順に行なわれている様子が示されている。フレーム１の記録用画像形式変換処理が終わる時刻は時間軸ｔ上のａ点で示され、Δｉｎ＜Δｏｕｔ＜２＊Δｉｎの関係からこのａ点では、同図の上段に示すように一時記憶部へのフレーム２の記憶が完了してフレーム３の記憶が既に開始されている。同図の下段に示すように、ａ点でフレーム１の記録用画像形式変換処理を終えるとすぐにフレーム２の表示用画像形式変換処理が開始され、さらに、フレーム２の記録用画像形式変換処理も行なわれる。そして、後続する各フレームに対しても以上に示した表示用及び記録用の画像形式変換処理がこの順で繰り返されている。
【００１４】
同図の上段及び下段の比較から明らかなように、表示用画像形式変換処理が終了する時点とその表示用画像形式変換処理の対象となる元画像データが一時記憶される時点との間では、時間が経過するに連れて、遅延が進む。
この結果、表示用画像形式変換処理によって生成された表示用画像データをその都度表示部に更新表示させて形成される表示部の動画像は実際に撮影している動画像よりも前に撮影した動画像となり、時間の経過と共に実際に撮影している動画像と表示部に表示させる動画像との時間差が大きくなることから、撮影者に対して混乱や動画像撮影の不便さを招いてしまうこととなる。
【００１５】
また、上述したように一時記憶部の記憶領域には限界があるため、逐次撮像されてデジタル変換された元画像データを記憶する一時記憶部に記憶領域不足が生ずると、次に一時記憶される元画像データが、最初に記憶された一時記録部の格納場所から格納順に、上書きされてしまう。そして、格納場所にあった元画像データが上書きされるまでの間にその元画像データに対する記録用画像データの生成を行なわなければ、その元画像データを再度復元することはできなくなる。
【００１６】
すなわち、図１９の上段に示す各ボックスの番号▲１▼から▲３▼を、一時記憶部で記憶できる各格納場所の格納順序を示した番号とすると、フレーム４の元画像データはフレーム１の元画像データが格納されている格納場所▲１▼に上書き処理されることとなる。図１９に示す例では、フレーム１の格納場所▲１▼の最初の書き換えが開始される時間軸ｔ上のＣ点よりも前にフレーム１の記録用画像形式変換処理は終了しているため、Ｃ点では限られた記憶領域という点での問題は発生しない。しかし、処理が進んで時間軸ｔ上のＤ点に達すると、フレーム２の元画像データを記録用画像形式変換処理中に、フレーム２の元画像データが一時記憶されている格納場所▲２▼は、フレーム５の元画像データで上書き処理が開始され、Ｄ点以後の記録用画像形式変換処理で生成される記録用画像データはフレーム２とフレーム５が混在した異常なものとなってしまう。そして、後続処理される記録用画像データや、もちろん表示用画像データにおいても、上記処理を受けて使いものにならなくなってしまう。
【００１７】
この問題を回避するために１フレーム当りのデータ量を減らして、Δｏｕｔを小さく抑えてフレームレートを上げる方法も考えられるが、各フレームの静止画像の品質を下げる結果となるため望ましい方法ではない。
【００１８】
【発明が解決しようとする課題】
そこで、現状のデジタルカメラにおいては、画像形式変換処理をするフレームレートを例えば１５（ｆｒａｍｅ／ｓｅｃ）などの低いフレームレートに落としてフレーム処理を行なわせている。
【００１９】
図２０は、上述した現状のデジタルカメラで適用されている表示用及び記録用の画像形式変換処理のタイムチャートの一例である。
同図の上段は、図１９の上段に示される図と同様で、一時記憶部に逐次記憶される元画像データを時間軸ｔ方向にフレーム単位で時系列順に並べたものである。
【００２０】
また、同図の時間軸ｔ上に示される記号Ａ点からＧ点は、図１９の時間軸ｔ上に示したものと同様に、同図の上段に示される各フレームが切り替わる点を示している。
図２０の下段は、同図の上段に示される元画像データの各フレームに対して行なわれる表示用及び記憶用の画像形式変換処理を、半分に減らした場合の様子、すなわち、本例では同図の上段の偶数番号のフレームをとばして奇数番号のフレームに対して画像形式変換処理を行なった様子、が時間軸ｔに対応して示されている。
【００２１】
本例はΔｉｎ＜Δｏｕｔ＜２＊Δｉｎの関係があることから、フレームを１つとばしで表示用及び記録用の画像形式変換処理を行なうようにしたので、奇数番号のフレームに対する表示用画像形式変換処理はその処理の対象となるフレーム分の元画像データが一時記憶部に記憶されると同時に常に開始することが可能となる。
【００２２】
これによって、実際に撮影している動画像と表示部に表示させる動画像との時間差が極端に広がる事態を避け、撮影者に対して快適に動画像撮影ができるようにしている。また、記録用画像形式変換処理を行なう前または途中にその処理の元となるフレーム分の元画像データが一時記憶部の格納場所から無くなるという事態を避け、正常に記録処理を行なえるようにしている。
【００２３】
但し、本例の方法で得られた記録用画像データは所望のフレームレートの半分のフレームレートとなるため、動画像再生時に自然な動きで再生できる例えば３０（ｆｒａｍｅ／ｓｅｃ）などのフレームレートの高いものに比べ、ぎくしゃくした不自然な動きで再生されるという記録用画像データとしては好ましくない問題が生じてしまう。
【００２４】
さらに、上記問題においては、（α−１）＊Δｉｎ＜Δｏｕｔ＜α＊Δｉｎ（αは２以上の整数とする。）とした場合も同様に言える。
すなわち、図１９の下段のタイムチャートにおいて、フレーム１の記録用画像形式変換処理の終了を示す時間軸ｔ上のａ点が、同図の上段のフレーム３以後のフレームの一時記憶の完了を示す時間軸ｔ上のアルファベットの大文字で示される各点（Ｃ点、Ｄ点、Ｅ点、Ｆ点、Ｇ点、・・・）を、αの値が２から１増加する毎に、一つとび越える形で同図のボックスが時間軸方向に延びて表される。そして、後続するボックスも、前段の各記録用画像形式変換処理に続けて、同様に時間軸方向に延びて表される。このように、αが増加するにつれて、撮影されている動画像に対して表示部に表示される動画像の上記遅延の量は増し、制限された記憶領域という観点からはより早い段階で異常な画像が生成される結果となる。そして、図２０の下段のタイムチャートにおいては、フレーム１の元画像データに対して記録用画像形式変換処理が終了する時間軸ｔ上のａ´点が、同図の上段のフレーム３以後のフレームの一時記憶の完了を示す時間軸ｔ上のアルファベットの大文字で示される各点（Ｃ点、Ｄ点、Ｅ点、Ｆ点、Ｇ点、・・・）を、αの値が２から１増加する毎に、一つとび越える形で同図のボックスが時間軸方向に延びて表される。そして、後続するボックスも、前段の各記録用画像形式変換処理が終了する時間軸ｔ上の点以後の、同図上段のフレームの一時記憶の完了を示す時間軸ｔ上の点に続けて、同様に時間軸方向に延びて表される。このように、上述したような遅延を無くすためには、画像形式変換処理をする対象のフレームをαが１増加する毎にさらに１フレームとばす必要があり、この結果、フレームレートはさらに落ち込み、この記録した動画像を再生する際には一層ぎくしゃくした動きとなってしまう。
【００２５】
以上のように、従来のデジタルカメラにおいては、ハードウエアの制限や処理スピードを上げるソフトウエアの開発の遅れなどから記録用画像データに対して所望のフレームレートを実現させるのが困難であり、時系列順の情報量を少なくした記録用画像データでは動画像再生時に自然な動きが表現できなかった。
【００２６】
そこで本発明は、記録用画像データのフレームレートを増加させることが可能な撮像装置、及び画像形式変換方法を提供することを目的とする。
【００２７】
【課題を解決するための手段】
本発明は上記課題を解決するために以下のように構成する。
すなわち本発明の態様の一つは、順次撮像される画像信号の記憶と該記憶の更新を順次行なう一時記憶手段と、前記記憶されている画像信号を画像形式変換してスルー画表示用画像データまたは記録用画像データを生成する画像形式変換手段と、前記画像形式変換手段で単位時間当りに生成される記録用画像データの画像枚数が前記画像形式変換手段で前記単位時間当りに生成されるスルー画表示用画像データの画像枚数よりも上回る設定を有する画像変換条件設定手段と、前記画像変換条件設定手段の設定に基づいて前記一時記憶手段に記憶されている画像信号を前記画像形式変換手段で前記スルー画表示用画像データまたは前記記録用画像データに画像形式変換させる制御手段と、を有するように構成する。
【００２８】
このように構成することによって、画像形式変換手段で生成する画像データの種類を、表示用画像データよりも記録用画像データの方を多くすることが可能となる。
また、本発明の他の態様の一つは、順次撮像される画像信号の記憶と該記憶の更新を順次行なう一時記憶手段と、前記記憶されている画像信号を画像形式変換してスルー画表示用画像データまたは記録用画像データを生成する画像形式変換手段と、前記画像形式変換手段で単位時間当りに生成されるスルー画表示用画像データの画像枚数を減らすことにより前記画像形式変換手段で前記単位時間当りに生成される記録用画像データの画像枚数が増えるようにした設定を有する画像変換条件設定手段と、前記画像変換条件設定手段の設定に基づいて前記一時記憶手段に記憶されている画像信号を前記画像形式変換手段で前記スルー画表示用画像データまたは前記記録用画像データに画像形式変換させる制御手段と、を有するように構成する。
【００２９】
このように構成することによって、画像形式変換手段において、表示用画像データの生成を減らして記録用画像データの生成を増やすことが可能となる。
また、本発明の他の態様の一つは、順次撮像される画像信号の記憶と該記憶の更新を順次行なう一時記憶手段と、前記記憶されている画像信号を画像形式変換してスルー画表示用画像データまたは記録用画像データを生成する画像形式変換手段と、前記画像形式変換手段で単位時間当りに生成される記録用画像データの画像枚数と前記画像形式変換手段で前記単位時間当りに生成されるスルー画表示用画像データの画像枚数とを相対的に変化させる設定を有する画像変換条件設定手段と、前記画像変換条件設定手段の設定に基づいて前記一時記憶手段に記憶されている画像信号を前記画像形式変換手段で前記スルー画表示用画像データまたは前記記録用画像データに画像形式変換させる制御手段と、を有するように構成する。
【００３０】
このように構成することによって、画像形式変換手段において生成する表示用画像データと記録用画像データの画像枚数を相対的に変化させることが可能となる。
また、本発明の他の態様の一つは、順次撮像される画像信号の記憶と該記憶の更新を順次行なう一時記憶手段と、前記記憶されている画像信号を画像形式変換してスルー画表示用画像データまたは記録用画像データを生成する画像形式変換手段と、前記記憶されている画像信号を順次画像形式変換する際に、前記スルー画表示用画像データ及び前記記録用画像データの双方に順次画像形式変換する第一の画像形式変換と前記記憶されている画像信号を前記記録用画像データにのみ画像形式変換する第二の画像形式変換とを時系列的に行なう設定を有する画像変換条件設定手段と、前記画像変換条件設定手段の設定に基づいて前記一時記憶手段に記憶されている画像信号を前記画像形式変換手段で前記スルー画表示用画像データまたは前記記録用画像データに画像形式変換させる制御手段と、を有するように構成する。
【００３１】
このように構成することによって、表示用画像データを生成する全ての画像信号に対して記録用画像データを生成し、その他の所定の画像信号に対しては記録用画像データのみ生成することが可能となる。
なお、上述した構成における画像変換条件設定手段は、例えば以下のように設定される。
【００３２】
すなわち、第一の例として、前記画像変換条件設定手段は、前記一時記憶手段に記憶される画像信号で単位時間当りに構成される画像枚数に対する該画像から前記記録用画像データに画像形式変換する画像の枚数の割合で設定される。
第二の例として、前記画像変換条件設定手段は、前記画像形式変換手段で単位時間当りに生成される記録用画像データの画像枚数に対する前記画像形式変換手段で前記単位時間当りに生成されるスルー画表示用画像データの画像枚数の割合で設定される。
【００３３】
第三の例として、前記画像変換条件設定手段は、前記記録用画像データの画像品質で設定され、さらに該画像品質には、前記一時記憶手段に記憶される画像信号で単位時間当りに構成される画像枚数に対する該画像から前記記録用画像データに画像形式変換する画像の枚数の割合が関連付けられている。
【００３４】
第四の例として、前記画像変換条件設定手段は、前記画像形式変換手段で単位時間当りに生成されるスルー画表示用画像データの画像枚数と前記画像形式変換手段で前記単位時間当りに生成される記録用画像データの画像枚数との比率で設定される。
【００３５】
第五の例として、前記画像変換条件設定手段は、前記画像形式変換手段で生成されるスルー画表示用画像データのフレームレートと前記画像形式変換手段で生成される記録用画像データのフレームレートとの組み合わせで設定される。
第六の例として、前記画像変換条件設定手段は、前記一時記憶手段に記憶される画像信号で単位時間当りに構成される画像枚数に対する該画像から前記記録用画像データに画像形式変換する画像の枚数の割合で設定されるモード、前記画像形式変換手段で単位時間当りに生成される記録用画像データの画像枚数に対する前記画像形式変換手段で該単位時間当りに生成されるスルー画表示用画像データの画像枚数の割合で設定されるモード、前記記録用画像データの画像品質で設定され、さらに該画像品質には、前記一時記憶手段に記憶される画像信号で単位時間当りに構成される画像枚数に対する該画像から前記記録用画像データに画像形式変換する画像の枚数の割合が関連付けられているモード、前記画像形式変換手段で単位時間当りに生成されるスルー画表示用画像データの画像枚数と前記画像形式変換手段で該単位時間当りに生成される記録用画像データの画像枚数との比率で設定されるモード、前記画像形式変換手段で生成されるスルー画表示用画像データのフレームレートと前記画像形式変換手段で生成される記録用画像データのフレームレートとの組み合わせで設定されるモード、の内、何れか一つのモードが設定される。
【００３６】
第七の例として、前記画像変換条件設定手段は、前記記録用画像データの画像品質が設定可能で、さらに、該設定された画像品質に対して、前記一時記憶手段に記憶される画像信号で単位時間当りに構成される画像枚数に対する該画像から前記記録用画像データに画像形式変換する画像の枚数の割合を設定できる。
【００３７】
また、上述した構成に、前記画像変換条件設定手段の設定内容を表示する警告表示手段と、前記撮像装置に着脱可能な記録媒体に記録可能な記録手段とを、更に有し、前記画像変換条件設定手段の設定内容の表示は、該画像変換条件設定手段の設定内容に基づいて画像形式変換された前記記録用画像データを前記記録手段に記録する際に行なわれる、ようにすることもできる。
【００３８】
そして、前記記録手段に記録された記録用画像データを再生する際は、前記記録用画像データに画像形式変換される際の前記画像変換条件設定手段における設定内容を前記記録用画像データとともに前記警告表示手段に表示可能とする、こともできる。
【００３９】
このように構成することによって、記録用画像データを記録手段に記録する際または記録手段に記録された記録用画像データを再生する際に前記画像変換条件設定手段の設定内容が表示できるようになる。
また、本発明の他の態様の一つは、順次撮像される画像信号の記憶と該記憶の更新を順次行ない、前記記憶時の画像信号を画像形式変換してスルー画表示用画像データまたは記録用画像データを生成する撮像装置の画像形式変換方法であって、単位時間当りに生成される前記記録用画像データの画像枚数が該単位時間当りに生成される前記スルー画表示用画像データの画像枚数よりも上回るように画像形式変換させる、ようにすることである。
【００４０】
このようにすることによって、画像形式変換して生成する画像データの種類を、表示用画像データよりも記録用画像データの方を多くすることが可能となる。また、本発明の他の態様の一つは、順次撮像される画像信号の記憶と該記憶の更新を順次行ない、前記記憶時の画像信号を画像形式変換してスルー画表示用画像データまたは記録用画像データを生成する撮像装置の画像形式変換方法であって、単位時間当りに生成される前記スルー画表示用画像データの画像枚数を減らすことにより前記単位時間当りに生成される前記記録用画像データの画像枚数が増えるように画像形式変換させる、ようにすることである。
【００４１】
このようにすることによって、表示用画像データの生成を減らして記録用画像データの生成を増やすことが可能となる。
また、本発明の他の態様の一つは、順次撮像される画像信号の記憶と該記憶の更新を順次行ない、前記記憶時の画像信号を画像形式変換してスルー画表示用画像データまたは記録用画像データを生成する撮像装置の画像形式変換方法であって、単位時間当りに生成される前記記録用画像データの画像枚数と該単位時間当りに生成される前記スルー画表示用画像データの画像枚数とを相対的に変化させて画像形式変換する、ようにすることである。
【００４２】
このようにすることによって、画像形式変換して生成する表示用画像データと記録用画像データの画像枚数を相対的に変化させることが可能となる。
また、本発明の他の態様の一つは、順次撮像される画像信号の記憶と該記憶の更新を順次行ない、前記記憶時の画像信号を画像形式変換してスルー画表示用画像データまたは記録用画像データを生成する撮像装置の画像形式変換方法であって、前記記憶されている画像信号を順次画像形式変換する際に、前記スルー画表示用画像データ及び前記記録用画像データの双方に順次画像形式変換する第一の画像形式変換と前記記憶されている画像信号を前記記録用画像データにのみ画像形式変換する第二の画像形式変換とを時系列的に行なう、ようにすることである。
【００４３】
このように構成することによって、表示用画像データを生成する全ての画像信号に対して記録用画像データを生成し、その他の所定の画像信号に対しては記録用画像データのみ生成することが可能となる。
【００４４】
【発明の実施の形態】
以下、本発明の実施の形態を、図面を参照しながら詳細に説明する。
図１は、本発明の一例であるデジタルカメラで行なわれる画像形式変換処理のタイムチャート例である。
【００４５】
同図の上段は、図１９の上段及び図２０の上段に示される図と同様で、従来技術の説明で述べた一時記憶部に逐次記憶される元画像データを時間軸ｔ方向にフレーム単位で時系列順に並べたものである。
また、同図の時間軸ｔ上に示される記号Ａ点からＧ点は、図１９の時間軸ｔ上に示したものと同様に、同図の上段に示される各フレームが切り替わる点を示している。そして、同図の時間軸ｔ上に示される記号ａ点からｄ点は、図１９の時間軸ｔ上に示したものと同様に、対象となるフレーム単位の元画像データに対して記録用画像形式変換処理が終わる点を示している。
【００４６】
図１の下段には、元画像データの所定のフレームに対して表示用及び記憶用の画像形式変換処理を１対３の比で行なわせた場合の様子が時間軸ｔに対応して示されている。
但し、同図では、Δｉｎ＜Δｏｕｔ＜２＊ΔｉｎかつΔｉｎ＞ΔｏｕｔＢ（各記号は，従来技術と同様のものとする。）の関係を前提とした。
【００４７】
同図の下段においては、時間軸ｔ上のＡ点で一時記憶の完了した同図の上段に示すフレーム１の元画像データに対して、この時点から表示用画像変換処理及び記録用画像変換処理がこの順に行なわれている様子が示されている。
同図において、フレーム１の記録用画像形式変換処理が終わる時刻は時間軸ｔ上のａ点で示され、このａ点では、Δｉｎ＜Δｏｕｔ＜２＊Δｉｎの関係から一時記憶部でのフレーム２の一時記憶が完了してフレーム３の一時記憶が既に開始されている。
【００４８】
また、同図の下段においては、同図の上段に示されるフレーム３の一時記憶が完了するまで処理を待ち、フレーム３の一時記憶が完了する時間軸ｔ上のＣ点から、フレーム２ではなく、一時記憶が完了したばかりのフレーム３に対して二つ目の記録用画像形式変換処理を開始する。この記録用画像形式変換処理は、Δｉｎ＞ΔｏｕｔＢの関係から、同図の上段のフレーム４が一時記憶される時間軸ｔ上のＤ点よりも前のｂ点で処理が完了する。そして、時間軸ｔ上のＤ点で同図の上段のフレーム４の一時記憶が完了すると、三つ目の記録用画像形式変換処理をこのフレーム４に対して開始する。二つ目の記録用画像形式変換処理のように、同図の上段のフレーム５が一時記憶される時間軸ｔ上のＥ点よりも前のｃ点でこの処理は完了する。本例は、表示用及び記録用の画像形式変換処理量の比率を１対３に設定しているので、続く時間軸ｔ上のＥ点になるとフレーム５に対して表示用及び記録用の画像形式変換処理をこの順で行なう。そして、この記録用画像形式変換処理は時間軸ｔ上のｄ点で完了し、その後に一時記憶処理が完了するフレーム７の時間軸ｔ上のＧ点からフレーム７に対する記録用画像形式変換処理のみが行なわれ、続くフレーム８に対しても同様に同図には示されていないが記録用画像形式変換処理のみが行なわれる。さらに、以後の処理においても、時間軸ｔ上のＡ点からＥ点に示される同図の下段の処理パターンが同図の上段のフレームに対応して繰り返し行なわれる。
【００４９】
このように本例では、表示用及び記録用の画像形式変換処理を行なったフレームの直後のフレームをとばして、続く２つのフレームに対して立て続けに記録用画像形式変換処理のみを行ない、さらに続く１つのフレームに対しては元の処理内容に戻して表示用及び記録用の画像形式変換処理を行ない、その後もこれら一連の処理を繰り返し行なう。
【００５０】
なお、本例では、Δｉｎ＜Δｏｕｔ＜２＊ΔｉｎかつΔｉｎ＞ΔｏｕｔＢの関係を前提としたが、（α−１）＊Δｉｎ＜Δｏｕｔ＜α＊Δｉｎ（各記号は，従来技術と同様のものとする。）かつΔｉｎ＞ΔｏｕｔＢの関係においても同様に考えると、表示用及び記録用の画像形式変換処理を行なったフレームの直後に続くα−１個分のフレームが各画像形式変換処理をとばされて、その後に続く２つのフレームに対して立て続けに記録用画像形式変換処理のみを行ない、さらに続く１つのフレームに対しては元の処理内容に戻して表示用及び記録用の画像形式変換処理を行ない、その後もこれら一連の処理を繰り返し行なう。
【００５１】
さらに、（α−１）＊Δｉｎ＜Δｏｕｔ＜α＊Δｉｎかつ（α−２）Δｉｎ＜ΔｏｕｔＢ＜（α−１）Δｉｎの関係においても同様に考えると、表示用及び記録用の画像形式変換処理を行なったフレームの直後に続くα−１個分のフレームが画像形式変換処理をとばされて、その後に続く１つのフレームに対して記録用画像形式変換処理のみを行ない、続くα―２個分のフレームが画像形式変換処理をとばされて、続く１つのフレームに対して記録用画像形式変換処理のみを行ない、さらに続くα―２個分のフレームが画像形式変換処理をとばされて、続く１つのフレームに対しては元の処理内容に戻して表示用及び記録用の画像形式変換処理を行ない、その後も同様にこれら一連の処理を繰り返し行なう。
【００５２】
また、本例では、フレーム１から表示用及び記録用の画像形式変換処理を行なわせているが、フレーム１に対しては記録用画像形式変換処理のみ行なわせ、フレーム２から表示用及び記録用の画像形式変換処理を行なわせてもよいし、フレーム２に対しても記録用画像形式変換処理のみを行なわせ、フレーム３から表示用及び記録用の画像形式変換処理を行なわせてもよい。
【００５３】
また、本例では、画像形式変換処理の順番を表示用を先に記録用を後にしているが、記録用を先に表示用を後にしてもよい。
また、本例では図１の上段のフレームを４回に１回とばして表示用または記録用の画像形式変換処理を行なわせてるが、表示用及び記録用の画像形式変換処理とこれに続く２回の記録用画像形式変換処理との時間の和が、上段の３フレーム分が一時記憶される時間よりも少なければ、画像形式変換処理を連続的に実行することで一時記憶部に記憶される全ての元画像データに対して記録用画像形式変換処理が行なえる。
【００５４】
また、本例では表示用及び記録用の画像形式変換処理の比を１対３として示したが比率は任意に設定できる。
また、この比率と、Δｉｎと、ΔｏｕｔＡと、ΔｏｕｔＢと、一時記憶部の記憶容量とから、表示用画像形式変換処理が遅延なく処理でき、各種の画像形式変換処理を行なわせる多数のタイミングを決定できる。
【００５５】
以上のように、表示用画像形式変換処理及び記録用画像形式変換処理の単位時間（本例では、Ａ点からＥ点で示される時間の単位）当りの処理を、例えば、生成する記録用画像データの画像枚数が表示用画像データの画像枚数よりも上回るようにしたり、生成する表示用画像データの画像枚数を減らすことにより記録用画像データの画像枚数が増えるようにしたり、生成する記録用画像データの画像枚数と表示用画像データの画像枚数とを相対的に変化させるようにしたり、元画像データを順次画像形式変換する際に、表示用画像データと記録用画像データの双方に順次画像形式変換する第一の画像形式変換と記録用画像データにのみ画像形式変換する第二の画像形式変換とを時系列的に行なわせるようにしたりするなど、それぞれ異ならせて、記録用画像形式変換処理を行なうフレーム数を増やす。また、表示用画像形式変換処理にあっては、その変換の対象となるフレームが一時記憶部に記憶された直後に、変換処理を行なうようにする。
【００５６】
このようなタイミングで各画像形式変換処理を行なえば、記録用画像データのフレームレートを増加させることができるので動画像再生時の自然な再生を実現することができる。さらに、表示用画像形式変換処理は変換対象のフレームが一時記憶されるほぼ直後に常に行なわれるので実際の動画像と表示部に表示される動画像との間に遅延は生じず、撮影者は混乱することなく安心して撮影を行なうことができるようになる。
【００５７】
なお、表示用画像形式変換処理がフレーム単位で間引かれ、動画像撮影時の表示部での表示がぎくしゃくするとしても、表示部に更新される画像とその時点の実際の動画像との間に時間的な差異は感じられないため、撮影者は安心して動画像を撮影できる。
【００５８】
また、このように生成された記録用画像データは、記録用画像形式変換が行なわれなかったフレームに対応する場所に一フレームを構成する空データや直前または直後のフレームのコピーを備えさせてもよい。このようにして動画像撮影時の撮影スピードと同じスピードで再生される記録用画像データは、動画像撮影時における被写体の動くスピードと同じスピードで再生され、より被写体の自然な動きが再現される。
【００５９】
次に、図１のタイムチャートに示す処理をデジタルカメラに構成する場合を以下に示す。
図２は、デジタルカメラに構成される動画像処理システムのブロック図である。
【００６０】
図２のブロック図は、画像データ取得部２０１と、一時記憶部２０３と、画像形式変換部２０５と、記録部２０７と、表示部２０９と、画像変換条件設定部２１１と、制御部２１３とで構成される。
画像データ取得部２０１では、例えば所定のクロックレートで駆動するＣＣＤなどの撮像素子から被写体をアナログの電気信号として取り込み、この電気信号にゲイン調整やノイズ除去処理の回路を介させて、最終的にＡ／Ｄ変換回路によってデジタルデータに変換する。
【００６１】
一時記憶部２０３は、ＤＲＡＭ（Ｄｙｎａｍｉｃ　Ｒａｎｄｏｍ　Ａｃｃｅｓｓ　Ｍｅｍｏｒｙ）やＳＲＡＭ（Ｓｔａｔｉｃ　Ｒａｎｄｏｍ　Ａｃｃｅｓｓ　Ｍｅｍｏｒｙ）などのＲＡＭ（Ｒａｎｄｏｍ　Ａｃｃｅｓｓ　Ｍｅｍｏｒｙ）で構成され、画像データ取得部２０１で生成されたデジタルデータ（元画像データ）を一時的に記憶したり、変換処理されたデジタルデータを一時的に記憶したり、記録部２０７から読み出したデータを一時的に記憶したりする。
【００６２】
画像形式変換部２０５では、一時記憶部２０３に記憶された元画像データを、表示部２０９に表示させる表示用画像データ、または記録部２０７に記録する記録用画像データに画像形式変換処理したり、記録部２０７に記録された記録用画像データを表示用に間引き伸張処理したりする。本例に示す画像形式変換とは、表示用画像データにおいては色信号処理やリサイズ処理やγ変換処理などの表示用画像形式変換を示し、記録用画像データにおいては上記処理にさらにモーションＪＰＥＧの画像圧縮処理を加えた記録用画像形式変換を示す。
【００６３】
記録部２０７は、デジタルカメラ本体に対して着脱可能な例えばメモリカードなどの可搬型記録媒体で構成され、画像形式変換部２０５で生成された記録用画像データを記録する。
表示部２０９は、例えば液晶などのディスプレイで構成され、画像形式変換部２０５で生成された表示用画像データや、記録部２０７に記録した記録用画像データの再生データや、各種メニュー画面を表示する。
【００６４】
画像変換条件設定部２１１では、画像形式変換部２０５で行なわれる表示用画像形式変換処理と記録用画像形式変換処理の処理条件が設定できる。
この処理条件とは、大別すると、生成する記録用画像データの画像枚数が表示用画像データの画像枚数よりも上回るようにした条件や、生成する表示用画像データの画像枚数を減らすことにより記録用画像データの画像枚数が増えるようにした条件や、生成する記録用画像データの画像枚数と表示用画像データの画像枚数とを相対的に変化させるようにした条件や、元画像データを順次画像形式変換する際に、表示用画像データと記録用画像データの双方に順次画像形式変換する第一の画像形式変換と記録用画像データにのみ画像形式変換する第二の画像形式変換とを時系列的に行なわせるようにした条件などが挙げられ、その具体例としては、図１に示す表示用画像形式変換処理を行なう対象のフレーム数と記録用画像形式変換処理を行なう対象のフレーム数の単位時間当りの比率である１対３が挙げられる。
【００６５】
そして、このような条件は、例えば、デジタルカメラ本体の図２に示されていない操作部からの操作により、表示部２０９に表示される条件設定画面上で所望の条件を選択または入力するなどして、設定できる。
制御部２１３では、例えば、各種演算を行なう中央処理装置（ＣＰＵ）で所定のプログラムが実行されたり、ＤＭＡ（Ｄｉｒｅｃｔ　Ｍｅｍｏｒｙ　Ａｃｃｅｓｓ）転送が行なわれるなどして、上記各部を制御している。
【００６６】
図３は、上記動画像処理システムを有するデジタルカメラで動画像撮影が行なわれる場合の制御部２１３の動作例である。
同図に示す制御部２１３の動作は、デジタルカメラ本体の図２に示されていない操作部から操作される動画像撮影の開始操作、例えばレリーズ釦の押下操作など、に基づいて開始される。
【００６７】
さて、動画像撮影の開始操作が上記操作部から操作されると、制御部２１３は、先ず、画像データ取得部２０１から逐次出力される所定単位毎（例えば数ライン毎など）の元画像データをＤＭＡ転送によって一時記憶部２０３に逐次記憶させる（Ｓ３０１）。続いて、その元画像データを一時記憶部２０３から所定単位毎に逐次読み出し、画像変換条件設定部２１１にデフォルトで設定された表示用画像形式変換の処理条件または操作部から設定された表示用画像形式変換の処理条件に基づき、元画像データに対して表示用画像形式変換処理を画像形式変換部２０５に１フレーム分行なわせ、表示用画像データを生成する（Ｓ３０３）。ステップＳ３０３において１フレーム分の表示用画像データが生成されると、その表示用画像データは表示部２０９に表示させられ、表示部２０９に古い表示用画像データが表示されている場合にはその古い表示用画像データが更新される（Ｓ３０５）。続いて、同一の元画像データに対して、画像変換条件設定部２１１にデフォルトで設定された記録用画像形式変換の処理条件または操作部から設定された記録用画像形式変換の処理条件に基づき、記録用画像形式変換処理を画像形式変換部２０５で１フレーム分行なわせ、記録用画像データを生成する（Ｓ３０７）。ステップＳ３０７において１フレーム分の記録用画像データが生成されると、その記録用画像データは記録部２０７に記録される（Ｓ３０９）。ステップＳ３０１からステップＳ３０９までの処理は、動画像撮影の終了操作が上記操作部からなされたことをステップＳ３１１で判断されるまで繰り返し実行され、動画像撮影の終了操作、例えばレリーズ釦を再び押下する操作など　が上記操作部からなされたことがステップＳ３１１で判断されると、処理を終了する。
【００６８】
また、図３では表示用画像形式変換処理してから記録用画像形式変換処理をしているが、記録用画像形式変換処理をしてから表示用画像形式変換処理を行なってもよい。
また、画像形式変換部２０５において、表示用画像データから記録用画像データへの変換処理または記録用画像データから表示用画像データへの変換処理を行なうものとすれば、画像形式変換部２０５において、一時記憶部２０３に記憶された元画像データを基に生成した表示用画像データから記録用画像データを生成したり、一時記憶部２０３に記憶された元画像データを基に生成した記録用画像データから表示用画像データを生成したりすることができる。
【００６９】
また、記録用画像データを記録部２０７に記録させるタイミングとして、記録用画像データが１フレーム生成されるごとに行なう例を示したが、そのタイミングは適宜設定してよく、例えば、全記録用画像データを一時記憶部２０３に記憶させておき、動画像撮影の終了後にまとめて記録部２０７へ記録させるようにしてもよい。
【００７０】
このように構成されたデジタルカメラで撮影される動画像の記録用画像データは、再生時に、記録時と同じ時間間隔で各フレームを再生させることによって、動画像を形成する。そして、単位時間当りの記録用画像形式変換処理の量が表示用画像形式変換処理の量を上回る場合には、再生される動画像を形成する静止画像の単位時間当りの密度は高いものとなり、動画品質が高まる。
【００７１】
次に、上記動画像撮影に関連する処理を以下に図４から図７を用いて説明する。なお、以下の説明において、表示部２０９に表示させる複数の設定項目やモードや動画像撮影条件は縦に並べて表示させるものとし、これら複数の設定項目やモードや動画像撮影条件の選択は画面上に表示させたカーソルで指定して行なうものとする。
【００７２】
また、以下の各種操作において、動画像撮影の開始にはレリーズ釦、画面上のカーソルの移動には方向指示釦、カーソルが指定する項目の確定には確定釦、処理のキャンセルにはキャンセル釦、設定画面の終了には終了釦で行ない、これらの何れの釦も図２には示されていない操作部に構成されているものとする。
【００７３】
図４は、上記動画像撮影を含む動画像関連の処理の中から所定の項目を選択させるための制御部２１３での処理フローの一例である。
同図で示されているように、制御部２１３は動画像関連の処理の開始指示（各種設定変更処理の開始指示、動画像撮影の開始指示、及び動画像再生処理の開始指示）またはその他の処理の開始指示が操作部から入力されるまで待機している。
【００７４】
なお、設定変更処理とは、動画像撮影で行なわれる表示用及び記録用の画像形式変換処理の処理条件を設定するための処理であり、動画像再生処理とは、動画像撮影で記録部２０７に記録された記録用画像データの再生データを表示部２０９に再生させる処理である。
【００７５】
制御部２１３は、各種設定変更処理の開始指示が操作部から入力されたと判断すると（Ｓ４０１）、各種設定変更処理を開始し（Ｓ４０３）、ステップＳ４０３における各種設定変更処理を終えると、上記待機の状態に戻る。
また、制御部２１３は、動画像撮影の開始指示が操作部から入力されたと判断すると（Ｓ４０５）、動画像撮影を開始し（Ｓ４０７）、図３に示す制御を行なう。ステップＳ４０７における動画像撮影を終えると、上記待機の状態に戻る。
【００７６】
また、制御部２１３は、動画像再生処理の開始指示が操作部から入力されたと判断すると（Ｓ４０９）、動画像再生処理を開始し（Ｓ４１１）、ステップＳ４１１における動画像再生処理を終えると、上記待機の状態に戻る。
また、制御部２１３は、その他の処理の開始指示が操作部から入力されたと判断すると（Ｓ４１３）、その他の処理を開始し（Ｓ４１５）、ステップＳ４１５におけるその他の処理を終えると、上記待機の状態に戻る。
【００７７】
図５は、図４のステップＳ４０３に示す各種設定変更処理における制御部２１３の動作フロー例である。
先ず、表示部２０９に複数の設定項目を表示し、操作部からの上下移動指示に基づいて指定先の設定項目にカーソルを移動し、カーソルが指定する設定項目を操作部からの確定指示に基づいて確定させる（Ｓ５０１）。
【００７８】
そして、確定した項目が動画像撮影条件設定モードを設定する項目であるかどうかを判断し（Ｓ５０３）、動画像撮影条件設定モードを設定する項目であると判断すると、動画像撮影条件設定モードの設定変更処理を開始する（Ｓ５０５）。
【００７９】
ステップＳ５０３において、動画像撮影条件設定モードを設定する項目ではないと判断した場合は、動画像撮影条件を設定する項目であるかどうかを判断し（Ｓ５０７）、動画像撮影条件を設定する項目であると判断した場合は、動画像撮影条件の設定変更処理を開始する（Ｓ５０９）。
【００８０】
ステップＳ５０７において、動画像撮影条件を設定する項目ではないと判断した場合は、その他の設定内容を変更する処理を開始する（Ｓ５１１）。
また、ステップＳ５０５、ステップＳ５０９、またはステップＳ５１１の処理を終了すると、操作部からの各種設定変更処理の終了を示す入力があるかどうかを判断し（Ｓ５１３）、ステップＳ５１３において終了を示す入力がないと判断した場合はステップＳ５０１の処理に戻り、上述したステップＳ５０１からステップＳ５１３の処理を繰り返し実行する。ステップＳ５１３において終了を示す入力があると判断すると、各種設定変更処理を終了する。
【００８１】
図６は、図５のステップＳ５０５に示す動画像撮影条件設定モードの設定変更処理における制御部２１３の動作フロー例である。
制御部２１３では、設定変更する複数のモードを表示部２０９に表示している状態で、カーソルを上方向に移動する指示が操作部から入力されたかどうか（Ｓ６０１）、カーソルを下方向に移動する指示が操作部から入力されたかどうか（Ｓ６０３）、カーソルで指定するモードを確定する指示が操作部から入力されたかどうか（Ｓ６０５）、本設定変更処理をキャンセルする指示が操作部から入力されたかどうか（Ｓ６０７）を判断し、何れかの入力があることを判断するまで待機する。
【００８２】
ステップＳ６０１で、カーソルを上方向に移動する指示が操作部から入力されたと判断すると、その入力回数やその入力の継続時間に基づいて、現在指定しているモードから一つ上または複数上に位置するモードへとカーソルを移動する移動量を算出し（Ｓ６０９）、表示部２０９の表示内容を更新させる（Ｓ６１１）。
【００８３】
また、ステップＳ６０１で、カーソルを上方向に移動する指示が操作部から入力されていないと判断し、ステップＳ６０３で、カーソルを下方向に移動する指示が操作部から入力されたと判断すると、その入力回数やその入力の継続時間に基づいて、現在指定しているモードから一つ下または複数下に位置するモードへとカーソルを移動する移動量を算出し（Ｓ６１３）、表示部２０９の表示内容を更新させる（Ｓ６１１）。ステップＳ６１１における表示部２０９の表示内容の更新が完了すると、ステップＳ６０１から同様に処理が繰り返される。
【００８４】
また、ステップＳ６０３において、カーソルを下方向に移動する指示が操作部から入力されていないと判断し、ステップＳ６０５において、カーソルで指定するモードを確定する指示が操作部から入力されたと判断すると、カーソルで指定しているモードが動画像撮影条件設定モードとなるように、画像変換条件設定部２１１にデフォルトで設定された動画像撮影条件設定モードの内容を更新する（Ｓ６１５）。
【００８５】
そして、設定された動画像撮影条件設定モードを表示部２０９に表示して（Ｓ６１７）、本処理を終了する。
また、ステップＳ６０５において、カーソルで指定するモードを確定する指示が操作部から入力されていないと判断し、ステップＳ６０７において、キャンセルする指示が操作部から入力されたと判断すると、キャンセルした場合の表示に更新して（Ｓ６１７）、本処理を終了する。
【００８６】
図７は、図５のステップＳ５０９に示す動画像撮影条件の設定変更処理における制御部２１３の動作フロー例である。
制御部２１３では、複数の動画像撮影条件を表示部２０９に表示している状態で、カーソルを上方向に移動する指示が操作部から入力されたかどうか（Ｓ７０１）、カーソルを下方向に移動する指示が操作部から入力されたかどうか（Ｓ７０３）、カーソルで指定する動画像撮影条件を確定する指示が操作部から入力されたかどうか（Ｓ７０５）、本設定変更処理をキャンセルする指示が操作部から入力されたかどうか（Ｓ７０７）を判断し、何れかの入力があることを判断するまで待機する。
【００８７】
ステップＳ７０１で、カーソルを上方向に移動する指示が操作部から入力されたと判断すると、その入力回数やその入力の継続時間に基づいて、現在指定している動画像撮影条件から一つ上または複数上に位置する動画像撮影条件へとカーソルを移動する移動量を算出し（Ｓ７０９）、表示部２０９の表示内容を更新させる（Ｓ７１１）。
【００８８】
また、ステップＳ７０１で、カーソルを上方向に移動する指示が操作部から入力されていないと判断し、ステップＳ７０３で、カーソルを下方向に移動する指示が操作部から入力されたと判断すると、その入力回数やその入力の継続時間に基づいて、現在指定している動画像撮影条件から一つ下または複数下に位置する動画像撮影条件へとカーソルを移動する移動量を算出し（Ｓ７１３）、表示部２０９の表示内容を更新させる（Ｓ７１１）。ステップＳ７１１における表示部２０９の表示内容の更新が完了すると、ステップＳ７０１から同様に処理が繰り返される。
【００８９】
また、ステップＳ７０３において、カーソルを下方向に移動する指示が操作部から入力されていないと判断し、ステップＳ７０５において、カーソルで指定する動画像撮影条件を確定する指示が操作部から入力されたと判断すると、カーソルで指定している動画像撮影条件を動画像撮影時の動画像撮影条件となるように、画像変換条件設定部２１１に設定された動画像撮影条件を更新する（Ｓ７１５）。
【００９０】
そして、設定された動画像撮影条件を表示部２０９に表示して（Ｓ７１７）、本処理を終了する。
また、ステップＳ７０５において、カーソルで指定する動画像撮影条件を確定する指示が操作部から入力されていないと判断し、ステップＳ７０７において、キャンセルする指示が操作部から入力されたと判断すると、キャンセルした場合の表示に更新して（Ｓ７１７）、本処理を終了する。
【００９１】
次に、図６または図７の処理の中で表示部２０９に表示されるモードまたは動画像撮影条件の一例を、図８から図１４に示す表示画面例を用いて説明する。
なお、本例においてはモードまたは動画像撮影条件を表示画面中の二重線で囲まれた部分に縦に並べて表示させ、カーソルをその二重線の中の矩形の枠で示すものとする。
【００９２】
図８は、図６の処理の中で表示部２０９に表示されるモードの一例である。
同図に二重線で囲まれるように、５種類のモード（撮影枚数中の記録枚数、変換処理中の表示処理割合、動画品質、表示処理と記録処理の割合、及び表示フレームレート（ＤＦ）と記録フレームレート（ＲＦ）の設定）が選択可能なモードとして上から順番に表示されている。そして、その中で「表示処理と記録処理の割合」がカーソルで指定されている。
【００９３】
上記撮影枚数中の記録枚数は、単位時間当りに一時記憶部２０３に記憶される元画像データのフレーム数に対する、画像形式変換部２０５で記録用画像形式変換処理を行なわせるフレーム数（または生成される記録用画像データの画像枚数）の割合が設定されたモードである。
【００９４】
上記変換処理中の表示処理割合は、単位時間当りに画像形式変換部２０５で画像形式変換処理する元画像データのフレーム数に対する、表示用画像形式変換処理を行なわせるフレーム数（または、生成される表示用画像データの画像枚数）の割合が設定されたモードである。
【００９５】
上記動画品質は、動画像再生した際の動画像の動きの滑らか度が設定されたモードである。
上記表示処理と記録処理の割合は、画像形式変換部２０５における単位時間当りの表示用画像形式変換するフレーム数（または、生成される表示用画像データの画像枚数）と、記録用画像形式変換するフレーム数（または、生成される記録用画像データの画像枚数）の割合が設定されたモードである。
【００９６】
上記ＤＦとＲＦの設定は、単位時間当りに画像形式変換部２０５で生成される表示用画像データと記録用画像データのフレームレートが設定されたモードである。
なお、以下に示す図９から図１４においても同様であるが、図６に示す方向指示釦からの入力に応じて、図８の二重線内のカーソルが上下の各モードに一つずつ移動し、図６に示す確定釦からの入力に応じて、カーソルで指定されているモードが画像変換条件設定部２１１に設定される。
【００９７】
図９は、図７の処理の中で表示部２０９に表示される動画像撮影条件の一例である。
同図に二重線で囲まれるように、図８に示す「撮影枚数中の記録枚数」をさらに細かく選択できるようにした３つの動画像撮影条件（撮影枚数の１／２、撮影枚数の２／３、及び撮影枚数の３／４）が選択可能な動画像撮影条件として上から順番に表示されている。そして、その中で「撮影枚数の３／４」がカーソルで指定されている。
【００９８】
図１０は、図７の処理の中で表示部２０９に表示される動画像撮影条件の他の例である。
同図に二重線で囲まれるように、図８に示す「変換処理中の表示処理割合」をさらに細かく選択できるようにした３つの動画像撮影条件（変換処理の２０％、変換処理の２５％、及び変換処理の５０％）が選択可能な動画像撮影条件として上から順番に表示されている。そして、その中で「変換処理の２０％」がカーソルで指定されている。
【００９９】
図１１は、図７の処理の中で表示部２０９に表示される動画像撮影条件の他の例である。
同図に二重線で囲まれるように、図８に示す「動画品質」をさらに細かく選択できるようにした３つの動画像撮影条件（高品質→撮影枚数の３／４、中品質→撮影枚数の２／３、及び通常品質→撮影枚数の１／２）が選択可能な動画像撮影条件として上から順番に表示されている。そして、その中で「中品質→撮影枚数の２／３」がカーソルで指定されている。なお、高品質、中品質、及び通常品質には、右矢印（→）で示された先の図９に示す３つの動画像撮影条件（撮影枚数の１／２、撮影枚数の２／３、及び撮影枚数の３／４）が図１１のように対応付けられているが、その他の動画像撮影条件を対応付けるようにしてもよい。
【０１００】
図１２は、図７の処理の中で表示部２０９に表示される動画像撮影条件の他の例である。
同図に二重線で囲まれるように、図８に示す「表示処理と記録処理の割合」をさらに細かく選択できるようにした３つの動画像撮影条件（１：４、１：３、及び１：１）が選択可能な動画像撮影条件として上から順番に表示されている。そして、その中で「１：３」がカーソルで指定されている。
【０１０１】
図１３は、図７の処理の中で表示部２０９に表示される動画像撮影条件の他の例である。
同図に二重線で囲まれるように、図８に示す「ＤＦとＲＦの設定」をさらに細かく選択できるようにした３つの動画像撮影条件（ＤＦを１５ｆｐｓとしてＲＦを１５ｆｐｓとする、ＤＦを１２ｆｐｓとしてＲＦを１８ｆｐｓとする、及びＤＦを７．５ｆｐｓとしてＲＦを２２．５ｆｐｓとする）が選択可能な動画像撮影条件として上から順番に表示されている。そして、その中で「ＤＦを１２ｆｐｓとしてＲＦを１８ｆｐｓとする」がカーソルで指定されている。
【０１０２】
図１４は、図７の処理の中で表示部２０９に表示される動画像撮影条件の種類を複数組み合わせた例である。
同図に二重線で囲まれるように、３つの動画像撮影条件が選択可能な動画像撮影条件として上から順番に表示されている。そして、カーソルでその中から動画像撮影条件を指定すると、プルダウン方式により、さらに他の種類の動画像撮影条件から選択が可能となる。
【０１０３】
本例では、図８に示す「動画品質」をさらに細かく選択できるようにした３つの動画像撮影条件（高品質、中品質、及び通常品質）が選択可能な動画像撮影条件として上から順番に表示されている。そして、その中からカーソルによって中品質が指定され、プルダウン方式によって表示される図９に示す３つの動画像撮影条件（撮影枚数の１／２、撮影枚数の２／３、及び撮影枚数の３／４）から「撮影枚数の２／３」がカーソルで指定されている。
【０１０４】
なお、本例では、動画品質から図９に示す撮影枚数中の記録枚数をプルダウン方式で選択させるようにしているが、その他の組み合わせにしてもよい。
また、図８から図１４に示す例では、モードや動画像撮影条件を縦に複数配列しているが、配列は任意に設定でき、例えば横に配列させてもよい。
【０１０５】
また、図８から図１４に示す例では、モードまたは動画像撮影条件を二重線内に一度に表示させるようにしているが、スクロール表示をさせたり、プルダウン表示をさせたり、それらを組み合わせるなど、表示形式は適宜設定してよい。
次に、動画像撮影中または動画像再生中の表示部２０９の表示制御の例について説明する。
【０１０６】
図１５は、動画像撮影中に表示部２０９へ動画像撮影条件を表示させるか否かが設定できる場合の、動画像撮影時の制御部２１３の制御例である。
なお、本例においては、図２の画像形式変換部２０５において、生成された表示用画像データに対してさらに動画像撮影条件を埋め込むことが可能なものとし、図２の画像変換条件設定部２１１において、動画像撮影条件を表示部に表示させるか否かを示す表示／非表示の情報が設定できるものとする。
【０１０７】
同図に示す制御部２１３の動作は、デジタルカメラ本体の操作部から操作される動画像撮影の開始操作に基づいて開始される。
さて、動画像撮影の開始操作が上記操作部から操作されると、制御部２１３は、先ず、画像データ取得部２０１から逐次出力される所定単位毎（例えば数ライン毎など）の元画像データをＤＭＡ転送によって一時記憶部２０３に逐次記憶させる（Ｓ８０１）。続いて、その元画像データを一時記憶部２０３から所定単位毎に逐次読み出し、画像変換条件設定部２１１にデフォルトで設定された動画像撮影条件または操作部から設定変更された動画像撮影条件に基づき、読み出した元画像データに対して表示用画像形式変換処理が必要か否かを判断し（Ｓ８０３）、必要であれば元画像データに対して表示用画像形式変換処理を画像形式変換部２０５に１フレーム分行なわせて、表示用画像データを生成する（Ｓ８０５）。続いて、動画像撮影条件の表示／非表示の判断を画像変換条件設定部２１１にデフォルトで設定された表示／非表示の設定内容または操作部から設定変更された表示／非表示の設定内容から判断する（Ｓ８０７）。ステップＳ８０７において、その設定が表示であると判断すると生成した表示用画像データに動画像撮影条件を画像形式変換部２０５で埋め込み（Ｓ８０９）、ステップＳ８１１の処理に進む。一方、ステップＳ８０７において、その設定が非表示であると判断するとステップＳ８０９の処理をとばしてステップＳ８１１の処理を行なう。ステップＳ８１１においては、生成した表示用画像データ（動画像撮影条件が埋め込まれたものも含む）を表示部２０９に表示し、表示部２０９に古い表示用画像データが表示されている場合にはその古い表示用画像データを更新して（Ｓ８１１）、ステップＳ８１３の処理に進む。また、ステップＳ８０３において一時記憶部２０３から読み出した元画像データに対して表示用画像形式変換処理は必要でないと判断した場合にはステップＳ８０５からステップＳ８１１の処理をとばしてステップＳ８１３の処理に進む。ステップＳ８１３においては、上記元画像データに対して記録用画像形式変換処理を画像形式変換部２０５で１フレーム分行なわせ、記録用画像データを生成する（Ｓ８１３）。ステップＳ８１３において１フレーム分の記録用画像データが生成されると、その記録用画像データを記録部２０７に記録する（Ｓ８１５）。そして、動画像撮影の終了の指示が上記操作部からなされたことがステップＳ８１７で判断されるまで、ステップＳ８０１からステップＳ８１７までの処理は繰り返し実行され、動画像撮影の終了の指示が上記操作部からなされたとステップＳ８１７で判断すると、本処理を終了する。
【０１０８】
また、図１５では、一時記憶部２０３に記憶される元画像データの全てに対して記録用画像データを作成する例を示したが、ステップＳ８１３に、一時記憶部２０３から読み出した元画像データに対して記録用画像形式変換処理が必要か否かを画像変換条件設定部２１１にデフォルトで設定された動画像撮影条件または操作部から設定変更された動画像撮影条件に基づいて判断させる判断処理を行なわせて、所定の元画像データに対してのみ記録用画像形式変換処理を行なうようにしてもよい。
【０１０９】
また、記録用画像データを記録部２０７に記録させるタイミングとして、記録用画像データが１フレーム生成されるごとに行なう例を示したが、そのタイミングは適宜設定してよく、例えば、全記録用画像データを一時記憶部２０３に記憶させておき、動画像撮影の終了後にまとめて記録部２０７へ記録させるようにしてもよい。
【０１１０】
また、画像形式変換部２０５において、表示用画像データから記録用画像データへの変換処理または記録用画像データから表示用画像データへの変換処理を行なうものとすれば、画像形式変換部２０５において、一時記憶部２０３に記憶された元画像データを基に生成した表示用画像データから記録用画像データを生成したり、一時記憶部２０３に記憶された元画像データを基に生成した記録用画像データから表示用画像データを生成したりすることができる。
【０１１１】
図１６は、動画像撮影中に動画像撮影条件を表示画面上に表示させた場合の表示例である。
本例は、図１２に示す「表示処理と記録処理の割合」の「１：３」が動画像撮影条件として画像変換条件設定部２１１に設定されている場合の動画像撮影中の表示例である。同図の例では、動画像の上部に「表示処理と記録処理の割合」及び「１：３」が表示されているが、表示位置や大きさや表示内容は適宜設定してよい。
【０１１２】
このように、動画像撮影中に動画像撮影条件が表示されれば、動画像撮影中であってもその動画像撮影条件の確認が容易となり、たとえ表示部に表示されている動画像が不自然な動きをしていても、例えば記録用画像データはそれよりも高いフレームレートで作成していることを知ることが容易なので、撮影者は安心して撮影に望めるようになる。
【０１１３】
図１７は、動画像撮影時に設定した動画像撮影条件を動画像再生時に表示部２０９へ表示させるか否かが設定できる場合の制御部２１３の制御例である。
なお、本例においては、図２の画像形式変換部２０５において、生成された再生用画像データに対してさらに動画像撮影条件を埋め込むことが可能なものとし、図２の画像変換条件設定部２１１において、動画像撮影条件を表示部に表示させるか否かを示す表示／非表示の情報が設定できるものとし、記録部２０７において、動画像撮影時の動画像撮影条件の情報を記録用画像データに対応させて記録させているものとする。
【０１１４】
本処理は、図４のステップＳ４１１における動画像再生処理に相当する。
先ず、記録部２０７に記録された記録用画像データを一時記憶部２０３に読み出す（Ｓ９０１）。
そして、一時記憶部２０３に読み出した記録用画像データを画像形式変換部２０５で間引き伸張処理させて再生用画像データを生成させる（Ｓ９０３）。
【０１１５】
ここで、上記再生用画像データを表示部２０９に再生する際に動画像撮影条件を一緒に表示させるか否かの判断をする（Ｓ９０５）。
画像変換条件設定部２１１に動画像撮影条件の表示が設定されている場合は、ステップＳ９０５において動画像撮影条件を一緒に表示させるものと判断し、再生画像データに動画像撮影条件の情報を埋め込み（Ｓ９０７）、ステップＳ９０９の処理に進む。また、画像変換条件設定部２１１に動画像撮影条件の非表示が設定されている場合は、ステップＳ９０５において動画像撮影条件を一緒に表示させないものと判断し、ステップＳ９０７の処理をとばしてステップＳ９０９の処理に進む。
【０１１６】
ステップＳ９０９では、生成した再生用画像データ（動画像撮影条件が埋め込まれたものも含む）を表示部２０９に表示し、表示部２０９に古い再生用画像データが表示されている場合にはその古い再生用画像データを更新する。
このステップＳ９０１からステップＳ９０９の処理を、動画像再生処理を停止する指示が操作部からあるまで繰り返し行なう。
【０１１７】
ステップＳ９１１で動画像再生処理を停止する指示が操作部から入力されたと判断すると、本処理は終了する。
図１８は、動画像撮影時の動画像撮影条件を動画像再生中に表示画面上に表示させた場合の表示例である。
【０１１８】
本例は、図１３に示す「ＤＦとＲＦの設定」の「ＤＦが７．５ｆｐｓ、ＲＦが２２．５ｆｐｓ」が動画像撮影条件で撮影された記録用画像データを動画像撮影条件表示の設定で表示部２０９に再生表示させた例である。同図の例では、動画像の上部に「表示フレームレート：７．５ｆｐｓ」及び「記録フレームレート２２．５ｆｐｓ」が表示されているが、表示位置や大きさや表示内容は適宜設定してよい。
【０１１９】
なお、図２以下の説明では、一例としてデジタルカメラを取り上げたが、逐次的に撮像される画像信号の記憶とその更新を所定範囲の記憶領域で逐次行ない、記憶領域にある画像信号を表示用画像データまたは記録用画像データに画像形式変換するもので、短時間当りの表示用と記録用の画像変換処理量が変わるもの、または記録用の画像変換処理量が表示用の画像変換処理量を上回る撮像装置であれば、何れの種類の撮像装置であってもよい。
【０１２０】
以上のように各画像形式変換処理を行なえば、記録用画像データのフレームレートを増加させることができるので動画像再生時の自然な再生を実現することができる。さらに、表示用画像形式変換処理は変換対象のフレームが一時記憶されるほぼ直後に常に行なわれるので実際の動画像と表示部に表示される動画像との間に遅延は生じず、撮影者は混乱することなく安心して撮影を行なうことができるようになる。
【０１２１】
【発明の効果】
以上述べたように、本発明によれば、記録用画像データのフレームレートを高めた状態で動画像撮影が可能となる。
【図面の簡単な説明】
【図１】本発明の一例であるデジタルカメラで行なわれる画像形式変換処理のタイムチャート例である。
【図２】デジタルカメラに構成される動画像処理システムのブロック図である。
【図３】デジタルカメラで動画像撮影が行なわれる場合の制御部２１３の動作例である。
【図４】動画像関連の処理を選択させるための処理例である。
【図５】図４のステップＳ４０３における制御部２１３の動作例である。
【図６】図５のステップＳ５０５における制御部２１３の動作例である。
【図７】図５のステップＳ５０９における制御部２１３の動作例である。
【図８】表示部２０９に表示されるモードの一例である。
【図９】表示部２０９に表示される動画像撮影条件の一例である。
【図１０】表示部２０９に表示される動画像撮影条件の他の例である。
【図１１】表示部２０９に表示される動画像撮影条件の他の例である。
【図１２】表示部２０９に表示される動画像撮影条件の他の例である。
【図１３】表示部２０９に表示される動画像撮影条件の他の例である。
【図１４】表示部２０９に表示される動画像撮影条件の種類を複数組み合わせた例である。
【図１５】動画像撮影中の動画像撮影条件表示／非表示の判断を含む、動画像撮影時の制御部２１３の制御例である。
【図１６】動画像撮影中に動画像撮影条件を表示画面上に表示させた場合の表示例である。
【図１７】動画像再生中の動画像撮影条件表示／非表示の判断を含む、動画像再生時の制御部２１３の制御例である。
【図１８】動画像再生中に動画像撮影条件を表示画面上に表示させた場合の表示例である。
【図１９】従来のデジタルカメラで検討されたフレーム処理のタイムチャート例である。
【図２０】現状のデジタルカメラで適用されている表示用及び記録用の画像形式変換処理のタイムチャート例である。
【符号の説明】
２０１　　画像データ取得部
２０３　　一時記憶部
２０５　　画像形式変換部
２０７　　記録部
２０９　　表示部
２１１　　画像変換条件設定部
２１３　　制御部
【図１】
2004080427.tif 000003
【図２】
2004080427.tif 000004
【図３】
2004080427.tif 000005
【図４】
2004080427.tif 000006
【図５】
2004080427.tif 000007
【図６】
2004080427.tif 000008
【図７】
2004080427.tif 000009
【図８】
2004080427.tif 000010
【図９】
2004080427.tif 000011
【図１０】
2004080427.tif 000012
【図１１】
2004080427.tif 000013
【図１２】
2004080427.tif 000014
【図１３】
2004080427.tif 000015
【図１４】
2004080427.tif 000016
【図１５】
2004080427.tif 000017
【図１６】
2004080427.tif 000018
【図１７】
2004080427.tif 000019
【図１８】
2004080427.tif 000020
【図１９】
2004080427.tif 000021
【図２０】
2004080427.tif 000022